(57)【要約】【課題】本発明は、壁パネル表面部の汚れ、破損時にでも容易に交換が行なえ、汚れが付き難く、汚れを容易に除去できる浴室ユニットを提供することを目的とする。【解決手段】複数の壁パネル５を支持部材８を介して接合した壁構造体５と、壁構造体５の表面を被覆する表面部材７を備え、支持部材８は挿入溝８ｂを有し、表面部材７は折り曲げ可能で両側端部には挿入片７ｂを備えた構成とし、表面部材７の挿入片７ｂを支持部８材の挿入溝８ｂに嵌合した浴室壁とすることにより、表面部材が破損した場合でも表面部材が着脱できるため、交換作業が容易に行なうことが可能となり、浴室壁のコーナー部は表面部材が連続して配設しているため、汚れが溜まりにくく、かつ掃除も簡単に行なうことができる。【選択図】図１
2006063620.tif 000002
【特許請求の範囲】
【請求項１】
複数の壁パネルを支持部材を介して接合した壁構造体と、壁構造体の表面を被覆する表面部材を備え、支持部材は略全長に亘り挿入溝を有し、表面部材は壁構造体の角部に対応して１箇所または複数箇所で折り曲げ可能で両側端部には略直角方向に形成した挿入片を備えた構成とし、表面部材の挿入片を支持部材の挿入溝に嵌合した浴室壁を備えた浴室ユニット。
【請求項２】
複数の壁パネルを支持部材を介して接合した壁構造体と、壁構造体の表面を被覆する表面部材を備え、表面部材は壁構造体の角部に対応して１箇所または複数箇所で折り曲げ可能で上下端部に略直角方向に形成した挿入片を備え、壁パネルの上下に接合する部材と壁パネルの上下端部間で挿入溝を構成し、表面部材の挿入片を挿入溝に嵌合した浴室壁を備えた浴室ユニット。
【請求項３】
表面部材の上下端部に略直角方向に形成した挿入片を備え、壁パネルの上下に接合する部材と壁パネルの上下端部間で挿入溝を構成し、表面部材の挿入片を挿入溝に嵌合した請求項１に記載の浴室ユニット。
【請求項４】
壁構造体の上下端部に表面部材の上下端部を圧接固定する見切り材を備えた請求項１〜３のいずれか１項に記載の浴室ユニット。
【請求項５】
表面部材の少なくとも一部が軟質材料で構成した請求項１〜４のいずれか１項に記載の浴室ユニット。
【請求項６】
壁パネルが少なくとも一部が断熱材料で構成した請求項１〜５のいずれか１項に記載の浴室ユニット。
【請求項７】
挿入片の先端部が元の部分より拡張した脱落防止部を備えた請求項１〜６のいずれか１項に記載の浴室ユニット。
【発明の詳細な説明】
【技術分野】
【０００１】
本発明は壁構造体と表面部材からなる浴室壁を供えた浴室ユニットに関するものである。
【背景技術】
【０００２】
従来、この種の浴室ユニットは、補強を目的としたＣ字状の枠体の表面側に、化粧処理を施した面材を積層して形成した壁パネルを洗い場の載置面に設置し、隣接するパネル同士の枠体に接続片を嵌入して接続して壁構造を構成している（例えば、特許文献１参照）。
【０００３】
図１１は、特開文献１に記載された従来の浴室ユニットを示すものである。図１１において面材１の裏面にＣ字状の枠体２を積層した壁パネル３を連結片４で連結した構成である。
【特許文献１】特開平１１−５０５７１号公報
【発明の開示】
【発明が解決しようとする課題】
【０００４】
しかしながら、前記従来の構成では、壁パネルは面材と固定された枠体にて構成されており、例えば面材が破損した場合は、壁パネル全体を交換せねばならなかった。また、壁パネルは、コーナー部にては直交して接続されており、汚れの付着がコーナー部で起こり易く清掃時に手間がかかるという課題を有していた。
【０００５】
本発明は、前記従来の課題を解決するもので、面材の破損時の交換が容易に行なえ、かつ壁パネルのコーナー部に汚れが溜まりにくくまた掃除も容易に行なえる壁パネルを有した浴室ユニットを提供することを目的とする。
【課題を解決するための手段】
【０００６】
前記従来の課題を解決するために本発明の浴室ユニットは、複数の壁パネルを支持部材を介して接合した壁構造体と、壁構造体の表面を被覆する表面部材を備え、支持部材は略全長に亘り挿入溝を有し、表面部材は壁構造体の角部に対応して１箇所または複数箇所で折り曲げ可能で両側端部には略直角方向に形成した挿入片を備えた構成とし、表面部材の挿入片を支持部材の挿入溝に嵌合した浴室壁を備えた構成としたものである。
【０００７】
これによって、本願発明の浴室壁は、例え表面部材が破損した場合でも表面部材が着脱できるため、交換作業が容易に行なうことが可能となる。また、浴室壁のコーナー部は表面部材が連続して配設しているため、汚れが溜まりにくく、かつ掃除も出っ張りがないため簡単に行なうことができる。
【発明の効果】
【０００８】
本発明の浴室ユニットは、表面部材の清掃や破損時のメンテナンスが容易に行なえ、しかも施工性の良い浴室空間を提供することができる。
【発明を実施するための最良の形態】
【０００９】
第１の発明は、複数の壁パネルを支持部材を介して接合した壁構造体と、壁構造体の表面を被覆する表面部材を備え、支持部材は略全長に亘り挿入溝を有し、表面部材は壁構造体の角部に対応して１箇所または複数箇所で折り曲げ可能で両側端部には略直角方向に形成した挿入片を備えた構成とし、表面部材の挿入片を支持部材の挿入溝に嵌合した浴室壁とすることにより、壁構造体で浴室ユニットの剛性は確保され、表面部材は前記壁構造体に左右の挿入片により着脱自在に装着できるため、表面部材の交換が容易に行なえまた、浴室壁のコーナー部はは表面部材が連続して配設しているため、汚れが溜まりにくくかつ、汚れの除去も容易に行なえ快適で使い勝手が良く、しかも施工性の良い浴室空間を提供することができる。
【００１０】
第２の発明は、複数の壁パネルを支持部材を介して接合した壁構造体と、壁構造体の表面を被覆する表面部材を備え、表面部材は壁構造体の角部に対応して１箇所または複数箇所で折り曲げ可能で上下端部に略直角方向に形成した挿入片を備え、壁パネルの上下に接合する部材と壁パネルの上下端部間で挿入溝を構成し、表面部材の挿入片を挿入溝に嵌合した浴室壁とすることにより、壁構造体の幅方向全面を表面部材で覆うことが可能となり、壁構造体の縦方向の継ぎ目が露出せず、外観性が良好でかつ面一な表面部材となるためより汚れの付着が少なく清掃性の良好な浴室空間を提供することができる。
【００１１】
第３の発明は、特に、第１の発明の表面部材の上下端部に略直角方向に形成した挿入片を備え、壁パネルの上下に接合する部材と壁パネルの上下端部間で挿入溝を構成し、表面部材の挿入片を挿入溝に嵌合したすることにより、表面部材の壁構造体への取り付けをより強固行なえ仕上がり時の外観性能の向上が可能となる。
【００１２】
第４の発明は、特に、第１〜３のいずれか１つの発明の壁構造体の上下端部に表面部材の上下端部を圧接固定する見切り材を備えることにより、表面部材の壁構造体への取り付けが壁構造体などに挿入片を保持するための加工等を施すことなく容易に行なうことが可能となり、しいてはより安価に施工性の良い汚れの付着が少なく清掃性の良好な浴室空間を提供することができる。
【００１３】
第５の発明は、特に第１〜４のいずれか１つの発明の表面部材の少なくとも一部を軟質材料で構成することにより、表面部材自体を容易に丸めたり折りたたんだりすることが可能となり収納性の向上あるいは施工時の作業性の向上を提供することができる。
【００１４】
第６の発明は、特に第１〜５のいずれか１つの発明の壁パネルの少なくとも一部が断熱材質で形成されていることにより、バスユニットの周囲温度と浴室内温度の差異により発生する結露等が防止でき、使い勝手の向上をも提供することができる。
【００１５】
第７の発明は、特に第１〜６のいずれか１つの発明の挿入片の先端部が元の部分より拡張した脱落防止部を備えることにより、施工時により確実に表面部材を壁構造体等に取り付けられ、しかも感触的に挿入したことが判別でき施工性の向上の効果を提供することができる。
【００１６】
（実施の形態１）
図１は、本発明の第１の実施の形態における浴室ユニットの浴室壁の要部斜視図、図２は同浴室ユニットの横断面図、図３は図２のＡ部詳細を示す断面図、図４は図２のＢ部詳細を示す断面図である。
【００１７】
図１〜４において、浴室ユニットの壁構造体５は、壁パネル６と、表面部材７とで構成されており、壁パネル６の両側端には突出部６ａが備えられている。壁パネル６はＦＲＰ等の樹脂又は金属にて形成され、突出部６ａは全長に亘り備えられている。
【００１８】
壁パネル６を連結する支持部材８は金属あるいは樹脂製で、左右に前述の壁パネル突出部６ａに対向した嵌合部８ａが設けられている。
【００１９】
壁構造体５の角部の壁パネル６の連結のための隅用支持部材９は、平行部分の壁パネル６連結用の支持部材８と同様に両端に壁パネル６突出部６ａに対向した嵌合部９ａが設けられている。
【００２０】
表面部材７は、平面部７ａと平面部７ａの両側端に略直角方向に形成した挿入片７ｂを硬質樹脂材料で形成し、平面部７ａの略中央部には軟質樹脂材料で形成された折り曲げ部７ｃを一体で形成している。
【００２１】
そして、表面部材７の挿入片７ｂは支持部材８に設た挿入溝８ｂに挿入して保持固定される。
【００２２】
以上のように構成された浴室ユニットについて、以下その動作、作用を説明する。
【００２３】
まず、壁パネル６は両端に設けた突出部６ａと、平行部分の支持部材８、隅用支持部材９の勘合部８ａ、９ａにて連結固定され、壁パネル６自体は樹脂又は金属にて形成されているため剛性があり壁構造体５が構成できる。
【００２４】
表面部材７は硬質材料で形成した平面部７ａおよび挿入片７ｂと、軟質材料で形成した折り曲げ部７ｃを有しており、挿入片７ｂを支持部材８に設けた挿入溝８ｂに挿入することにより壁構造体５の表面に凸凹が少なくかつ各コーナー部は曲面状態に着脱自在に装着できる。
【００２５】
以上のように、本実施の形態において浴室壁は壁構造体５と、表面部材７とで構成され、表面部材７の着脱が容易なため、浴室壁の破損時や汚染した場合は表面部材７の交換のみで良く施工性の良い浴室空間を提供できる。また、本実施の形態における浴室壁はコーナー部が曲面状で、継ぎ目も少ないため表面の平滑性が向上し、汚れが付着しにくく、たとえ汚れが付着しても除去が容易に行なえ快適で使い勝手が良い浴室空間の提供することができる。
【００２６】
なお、壁パネル６の両端に設けられた突出部６ａは全長に亘りに備えられているとしたが、壁パネル６の両端部に数箇所ずつ部分的に設けることも可能であり、この場合突出部６ａを壁パネル６の両端部に設けた取り付け穴に固定するため、突出部６ａは部品としての製作が可能となり低コストでの壁パネル６の生産も可能となる。
【００２７】
また、図５に示すように、表面部材７の挿入片７ｂを弾力性を備えている樹脂等の材質で先端に略三角錐形状の返り７ｄを形成し、支持部材８の挿入溝８ｂの形状が二段形状で、一段目は挿入片７ｂ先端の略三角錐形状の返り７ｄより狭く、二段目は広くすることにより、表面部材の挿入片を支持部材の挿入溝に挿入するときに、一段目の溝幅は略三角錐形状の返りの幅寸法よりも狭いため、挿入片を変形させながら挿入し、二段目の溝にて幅が広がり挿入片が変形状態から戻り固定される。その際、挿入片が変形状態から戻る時に音が発生するとともに明快な感触感じることができるため、施工時に容易に表面部材が壁構造体に取り付けられたことが判別でき施工性の向上の効果を提供することができる。
【００２８】
また、本実施の形態における壁パネルはＦＲＰ等の樹脂又は金属製としたが、壁パネルの一部または全部を発泡ウレタンや発泡スチロール等の樹脂あるいは無機質の断熱材で形成することにより、断熱性能が向上するため、バスユニットの周囲温度と浴室内温度の差異により発生する結露等が防止でき、より使い勝手の向上を図ることができる。
【００２９】
（実施の形態２）
図６は本発明の第２の実施の形態における浴室ユニットの浴室壁の横断面図を示し、図７は同縦断面図を示し、図８は図７のＣ部詳細を示す断面図、図９は図７のＤ部詳細を示す断面図である。
【００３０】
図６、７において、浴室ユニットの壁構造体１０は、壁パネル１１と、表面部材１２とで構成されており、壁パネル１１は左右両端部に突出部１１ａを、上下にはそれぞれ凹部１１ｂを備えており、上部は接合する天井１３との間で挿入溝１１ｃ形成し、下部は接合する床パン１４との間で挿入溝１１ｄを形成している。
【００３１】
表面部材１２は平面部１２ａと前記壁構造体１０の挿入溝１１ｃ、１１ｄに対向した挿入片１２ｂがともに硬質材料で、折り曲げ部１２ｃは軟質材料で一体に構成されている。
【００３２】
平行部分の壁パネル連結用の支持部材１５と、は角部の壁パネル連結のための隅用支持部材１６であり、左右に壁パネル１１の両端突出部１１ａに対向した挿入穴１５ａ、１６ａを有している。
【００３３】
以上のように構成された浴室ユニットの壁構造体の連結について、以下その動作、作用を説明する。
【００３４】
まず、壁パネル１１は両端に設けられた突出部１１ａと、平行部分の壁連結用の支持部材１５、隅用支持部材１６の挿入穴１５ａ、１６ａにて連結固定される。壁パネル１１自体はＦＲＰ等の樹脂又は金属にて形成されているため剛性があり壁構造体１０が構成できる。前述の壁パネル１１の上下には挿入溝１１ｃ、１１ｄが構成され、表面部材１２の上下に設けられた挿入片１２ｂと対向した位置関係にある。
【００３５】
以上のように、本実施の形態において壁構造体１０は壁パネル１１と表面部材１２とで構成され、表面部材１２は上下に設けられた挿入片１２ｂを壁パネル１１の上下に構成される挿入溝１１ｃ、１１ｄに挿入することにより固定され、浴室壁の完成となる。このため、表面部材１２が容易に着脱できるため、浴室壁の破損したり汚染した場合は表面部材１２の交換のみで良く施工性が向上するとともに、連結された壁パネル１１の幅方向全面を表面部材１２で覆うことが可能となり、浴室壁の縦方向の継ぎ目が発生せず、外観性が良好でかつ面一な浴室壁となるためより汚れの付着が少なく清掃性の良好な浴室空間を提供することができる。
【００３６】
なお、本実施の形態においては、壁パネルと表面部材の上下のみを挿入固定する構成としたが、左右両側部を実施の形態１に記載のように挿入固定する構成とすることは可能であり、その場合表面部材の全周に亘り挿入固定できることとなるためより、施工性やメンテナンス性が向上する。
【００３７】
（実施の形態３）
図１０は本発明の第３の実施の形態における浴室ユニットの浴室壁の縦断面図を示すものである。
【００３８】
図１０において、壁パネル１７はでＦＲＰ等の樹脂や金属で形成されており、表面部材１８は平面部１８ａと上下に備えた係止片１８ｂとが硬質材料で、折り曲げ部１８ｃは軟質材料で一体に構成している。
【００３９】
壁パネル１７の上下端は天井１３と床パン１４間所定の隙間を設ける構成となっており、前記隙間に天井見切り１９、床見切り２０を圧入して表面部材を固定している。
【００４０】
天井見切り１９、床見切り２０は樹脂あるいはアルミ等の押し出し材にて形成され、先端部に返りのついた形状の挿入片１９ａ、２０ａを備えており、一旦圧入すると抜けにくい構造になっている。
【００４１】
なお、実施の形態１および２と同一符号のものは同一構造とし、説明は省略する。
【００４２】
以上のように構成された浴室ユニットの壁構造体の連結について、以下その動作、作用を説明する。
【００４３】
まず、表面部材１８の上下の係止片１８ｂを、壁パネル１７の上下に挿入する。この時、表面部材１８の係止片１８ｂと壁パネル１８の上下面には係止片１８ｂの厚み分の段差が生じている。
【００４４】
次に、上部に天井見切り１９、下部には床見切り２０を圧入すると、各々の挿入片１９ａ、２０ａが段差にはまり込み返り部が引っかかり固定される。
【００４５】
以上のように、本実施の形態において表面部材１８は上下の天井見切り１９、床見切り２０を圧入することにより固定されるので、壁パネル１７に挿入片を保持するための加工等を施すことなく容易に作成することが可能となり、しいてはより安価で施工性の良い汚れの付着が少なく清掃性の良好な浴室空間を提供することができる。
【００４６】
以上の実施の形態１〜３において表面部材の表面部は硬質部材で形成しているが、表面部の少なくとの一部または前部を軟質材料で形成することは可能であり、この場合表面部材は、軽量化とともに容易に丸めたり折りたたんだりすることが可能となり、収納性の向上あるいは施工時の作業性の向上を提供することができる。
【産業上の利用可能性】
【００４７】
以上のように、本発明にかかる浴室ユニットは、壁の破損、汚れに対して表面部材のみの交換が容易にうことが可能となるので、洗面室やシャワー室等の用途にも適用できる。
【図面の簡単な説明】
【００４８】
【図１】本発明の実施の形態１における浴室ユニットの浴室壁の部分斜視図
【図２】本発明の実施の形態１における浴室ユニットの壁構造体の部分横断面図
【図３】本発明の実施の形態１における浴室ユニットの壁構造体の要部横断面図
【図４】本発明の実施の形態１における浴室ユニットの壁構造体の要部横断面図
【図５】本発明の実施の形態１における浴室ユニットの壁構造体の別に形態の要部横断面図
【図６】本発明の実施の形態２における浴室ユニットの壁構造体の部分横断面図
【図７】本発明の実施の形態２における浴室ユニットの壁構造体の縦断面図
【図８】本発明の実施の形態２における浴室ユニットの壁構造体の要部縦断面図
【図９】本発明の実施の形態２における浴室ユニットの壁構造体の要部縦断面図
【図１０】本発明の実施の形態３における浴室ユニットの壁構造体の要部縦断面図
【図１１】従来の浴室ユニットの壁パネルの部分斜視図
【符号の説明】
【００４９】
５、１０  壁構造体
６、１１、１７  壁パネル
７、１２、１８  表面部材
７ｂ、１２ｂ  挿入片
７ｄ、返り（脱落防止部）
８、１５  支持部材
８ｂ、１１ｃ、１１ｄ  挿入溝
１９  天井見切り（見切り材）
２０  床見切り（見切り材）
【図１】
2006063620.tif 000003
【図２】
2006063620.tif 000004
【図３】
2006063620.tif 000005
【図４】
2006063620.tif 000006
【図５】
2006063620.tif 000007
【図６】
2006063620.tif 000008
【図７】
2006063620.tif 000009
【図８】
2006063620.tif 000010
【図９】
2006063620.tif 000011
【図１０】
2006063620.tif 000012
【図１１】
2006063620.tif 000013